(57)【要約】      （修正有）【課題】監視用途に適用可能な携帯電話を提供する。【解決手段】携帯電話にセンサおよび事象モニタリングを配置して監視を行う。具体的には、オーディオ的およびビジュアル的な検知能力を用いて環境をモニタし、重要な監視事象を検出するとともに、事象に応答して監視警告をトリガするか、あるいは着信に応答して現在のセンサ情報を報告する機能を具備する。【選択図】図３
2005328541.tif 000002
【特許請求の範囲】
【請求項１】
携帯電話と、
前記携帯電話上に配置され、該携帯電話の周囲の環境から環境信号を取得するように構成された一組の環境センサと、
前記環境信号を解析する手段と、
解析された信号から重要な監視事象を検出する手段と、
検出された監視事象に応答して一組のアクションを生成する手段と
を備える監視システム。
【請求項２】
前記一組の環境センサは、オーディオ信号を取得するマイクロホンを含む請求項１に記載の監視システム。
【請求項３】
前記一組の環境センサは、ビジュアル信号を取得するカメラを含む請求項１に記載の監視システム。
【請求項４】
前記一組の環境センサは、物理信号を取得する一組の物理センサを含む請求項１に記載の監視システム。
【請求項５】
前記一組の物理センサは、温度センサを含む請求項４に記載の監視システム。
【請求項６】
前記一組の物理センサは、煙感知器を含む請求項４に記載の監視システム。
【請求項７】
前記携帯電話を前記環境中の固定位置に保持するクレードルをさらに備える請求項１に記載の監視システム。
【請求項８】
前記重要な監視事象の履歴を記録するように構成された記憶装置をさらに備える請求項１に記載の監視システム。
【請求項９】
前記一組のアクションは、前記携帯電話のユーザに警告することを含む請求項１に記載の監視システム。
【請求項１０】
前記一組のアクションは、警察署に警告することを含む請求項１に記載の監視システム。
【請求項１１】
前記一組のアクションは、消防署に警告することを含む請求項１に記載の監視システム。
【請求項１２】
前記一組のアクションは、所定の電話番号に発信することを含む請求項１に記載の監視システム。
【請求項１３】
前記一組のアクションは、前記重要な監視事象のオーディオクリップを送信することを含む請求項１に記載の監視システム。
【請求項１４】
前記一組のアクションは、前記重要な監視事象の画像を送信することを含む請求項１に記載の監視システム。
【請求項１５】
前記一組のアクションは、前記重要な監視事象のビデオクリップ映像を送信することを含む請求項１に記載の監視システム。
【請求項１６】
現在検知されている信号を報告する手段を含む請求項１に記載の監視システム。
【請求項１７】
前記携帯電話は、
表示装置と、
前記表示装置上に前記監視事象を表示する手段と
をさらに備える請求項１に記載の監視システム。
【請求項１８】
前記一組の環境センサは、オーディオ信号および該オーディオ信号の発生源の位置を取得する複数のマイクロホンを含む請求項１に記載の監視システム。
【請求項１９】
前記携帯電話の位置が算出される請求項１に記載の監視システム。
【請求項２０】
前記解析、検出および生成は、前記携帯電話への着信によって開始される請求項１に記載の監視システム。
【請求項２１】
前記一組のアクションは、前記監視事象の履歴を生成することを含む請求項１に記載の監視システム。
【請求項２２】
前記解析する手段、前記検出する手段および前記生成する手段は、前記携帯電話上に配置される請求項１に記載の監視システム。
【請求項２３】
前記解析する手段、前記検出する手段および前記生成する手段は、前記携帯電話の外部にある請求項１に記載の監視システム。
【請求項２４】
携帯電話上に配置された一組のセンサを有する環境から環境信号を取得すること、
前記環境信号を解析すること、
解析した信号から重要な監視事象を検出すること、および
検出した監視事象に応答して一組のアクションを生成すること
を含む監視方法。
【発明の詳細な説明】
【技術分野】
【０００１】
本発明は、包括的には携帯電話に関し、特に監視および環境モニタリングに携帯電話を使用することに関する。
【背景技術】
【０００２】
従来技術の監視システムは、通常、カメラ、マイクロホン、映像記録装置、およびネットワークのような特別な機器および固定インフラを必要とする。このような監視システムは、フォールトトレランス（対障害性）および信頼性について最適化されているため、構築および維持にかかる費用が高い。こうした従来技術の監視システムは、軽量で、移動でき、かつ重大でない用途には非実用的である。
【０００３】
一方、現代の移動携帯電話は大抵カメラを内蔵する。一般的なカメラ付き携帯電話は主に人同士のやり取りのために設計されている。
【発明の開示】
【発明が解決しようとする課題】
【０００４】
携帯電話を監視用途に適用することが望まれている。
【課題を解決するための手段】
【０００５】
本発明は、監視および環境モニタリングを行う能力を有する携帯電話に基づく監視システムを提供する。したがって、携帯電話が一組の１つまたは複数の環境センサを備える。センサは、周囲環境からオーディオ、ビジュアル、および他の物理信号を検知することができる。
【０００６】
信号は解析され、解析された信号から重要な監視事象が検出される。事象の検出に応答して、ユーザ、あるいは警察および消防署のような緊急機関に通知するための一組のアクションを生成することができる。事象は、後に検討するために記録することもできる。
【０００７】
またユーザは、遠隔地から携帯電話への着信によってモニタリングまたは要求ステータスを起動することができる。
【発明の効果】
【０００８】
本発明は、携帯電話に監視機能を提供する。電話が動作している環境からオーディオ、ビジュアル、および物理信号が取得される。信号は解析されて、重要な監視事象が検出される。検出事象に対する応答は、現地で、あるいは遠隔的に生成される。
【発明を実施するための最良の形態】
【０００９】
システム構造
図１は、本発明による携帯電話に基づく監視システム１００を示す。本システム１００は携帯電話１０５を含む。電話１０５は、キーパッド１１０、表示装置１２０、およびスピーカ１３０を含む。これらは従来のものである。電話は、無線通信インタフェースおよび１つまたは複数のマイクロプロセッサを含むことを理解すべきである。この１つまたは複数のマイクロプロセッサは、後述の、本発明による方法を実施することができる。
【００１０】
さらに、システム１００は、携帯電話１０５上に配置される一組の１つまたは複数の内蔵環境センサを含む。環境センサは、１つまたは複数のマイクロホン１４０、１つまたは複数のカメラ１５０、ならびに一組の１つまたは複数の物理センサ１８０、例えば煙感知器、温度検出器、ガス検出器、水検知器、加速度計、動き検出器を含むことができる。センサは、電話１０５上の任意の場所、例えば前面、背面、側面、または内部に配置することができる。
【００１１】
システム１００は、本明細書中で説明される「ハンズフリー」動作のためにクレードル１６０に置くことができる。クレードルはまた、常時電力１６１およびネットワークインタフェース１６２を提供することができる（図２を参照のこと）。通信は、アンテナ１７０またはインタフェース１６２を介して実現される。連続した長時間動作中、通信インタフェースはアイドル状態となることができ、後述のように検知動作のみを作動状態にすることができる。システム１００はまた、フラッシュメモリやディスクのような記憶装置を含むことができる。
【００１２】
システム動作
動作中、システム１００の一組の１つまたは複数のセンサ１４０、１５０、および１８０は、システムが動作している環境から信号を取得する。これらの信号は、１つまたは複数のマイクロホン１４０によって取得されるオーディオ信号１４１、カメラ１５０によって静止画または映像の形式で取得されるビジュアル信号１５１、および例えば温度用の一組の物理センサ１８０によって取得される他の環境物理信号１８１を含むことができる。オーディオ、ビジュアル、および他の環境信号１４１、１５１および１８１は解析されて、後述するような重要な監視事象が検出される。検知された信号は、解析後に、表示装置１２０上に検知情報１２１として表示されることができる。
【００１３】
監視方法
したがって、図２に示すように、監視システム１００は、マイクロホン１４０に接続されたオーディオ事象検出器２２０と、カメラ１５０に接続されたビジュアル事象検出器２３０と、物理センサ１８０に接続された物理事象検出器２４０とに接続された無線通信インタフェース２１０を含む。
【００１４】
図３は、本発明による監視方法３００のフロー図である。本方法は、携帯電話内部のプロセッサ上で動作するソフトウェアによって実施されることができることを理解すべきである。さらに、処理の一部は外部のコンピュータシステムによって行われることができる。マイクロホン、カメラ、および物理センサによって取得される環境信号は解析されて（３１０）、環境中の重要な監視事象が検出される（３２０）。
【００１５】
応答監視アクション
事象の検出に応答して、監視システム１００はいくつかのアクション（３４０）を行うことができる。例えば、スピーカ１３０のための出力信号を生成してユーザに警告してもよい（３４１）。事象は記録されてもよい（３４２）。事象は１つまたは複数の事前にプログラムされた電話番号に送信されてもよい（３４３）。警察署に通報してもよく（３４４）、あるいは消防署に発信してもよい（３４５）。
【００１６】
オーディオ信号
オーディオ信号解析では、オーディオ信号の音量または周波数の突然の変化、例えば、通常は多少の背景雑音のある部屋における突然の無音状態、あるいは通常時は無音であるはずの部屋における雑音を検出することができる（あるはずのない部屋の中の音声、苦しんでいる人物、ドアが開くこと等）。音声解析は、音声または音認識も含むことができる。
【００１７】
ビジュアル信号
ビジュアル信号解析では、光の強度または色の突然の変化、例えば部屋の明かりが消えること、あるいは明かりが点くことを検出することができる。ビジュアル解析は、動き、例えば誰もいないはずの環境における移動物体の検出、および機械の正常動作または誤動作を判定するためのパターン認識も行うことができる。
【００１８】
物理信号
物理解析では、温度、空気品質、あるいは例えばＧＰＳセンサを用いた携帯電話自体の動きの変化を検出することができる。
【００１９】
遠隔起動
検出情報に基づいてアクションを開始するだけでなく、ユーザは、現在検知されている情報、あるいは事象の履歴を得るために、監視システム１００をいつでも遠隔起動することができる。この場合、着信３５０により解析が開始される。
【００２０】
応用
本発明の使用を例示するために、検知能力を使用してシステム上で監視アクションをトリガする以下のシナリオを考慮する。
【００２１】
オーディオ的にトリガされるモニタリング
本発明による監視システムは、子供をモニタするために用いることができる。大きな家では、これは問題となる。親は、子供の近くに携帯電話を配置することができる。システムは、泣き声および他の異常音を検出するように、あるいは単に部屋の中の音圧レベルをモニタするように指示されることができる。システムが事前にプログラムされた事象を検出すると、電話は、ユーザにその状況を知らせるメッセージを送り、オプションでユーザに、取得したサウンドクリップの一例を送ることができる。こうすることで、ユーザは、監視状況を評価し、適切なアクションを行うことができる。システムが複数のマイクロホンを含む場合、オーディオ信号の発生源を定位することができる。
【００２２】
ビジュアル的にトリガされるモニタリング
ビジュアル監視を用いて、安全な部屋をモニタすることができる。この場合、ユーザは、携帯電話を、調査する空間に、動きおよびビジュアル的な活動を検出するよう指示して置いておく。これらの事象を検出すると、電話はこの場合も同様に、適切なアクションを行うことができる。この場合、適切なアクションは、事象を後に検討するために履歴として記録することを含むことができる。画像またはビデオクリップは送信することもできる。
【００２３】
物理的にトリガされるモニタリング
物理的な監視を用いて、異常な物理事象を検出することができる。例えば、監視システムを建物の中に、温度をモニタするよう指示して置いておくことができる。水道管が凍結してしまう可能性のある極端に低い温度を検出すると、電話は遠隔警報を発することができる。
【００２４】
オーディオ／ビデオによりトリガされるモニタリング
オーディオ的およびビジュアル的な検出を併用して、監視事象の検出品質を強化することができる。例えば、監視システムを車庫の自動車の中に配置する。システムは、誰かが車庫に入って車庫の明かりを点けるか、あるいは自動車を始動するとオーディオ−ビジュアル記録を開始および送信するよう指示される。
【００２５】
連続した長時間動作
連続した長時間動作を容易にするために、クレードル１６０は、長時間のあいだ安定した支持および電力を提供することができる。さらに、クレードルは、複数の監視システム、または他のコンピュータシステム間のネットワークインタフェースとしても用いることができる。その場合、コンピュータシステムは、解析、検出、および生成を行うために用いられる。
【００２６】
携帯電話は、クレードルを介して、あるいは無線リンクを介してコンピュータシステムと通信することができる。アップリンクは、遠隔装置にデータを伝えるために用いることができ、ダウンリンクは、システムに操作命令を伝えるために用いることができる。これにより、信号の解析および検出の複雑度を大幅に高めることができる。
【００２７】
本発明を好ましい実施の形態の例として説明してきたが、本発明の精神および範囲内で様々な他の適用および変更を行うことができることが理解される。したがって、添付の特許請求の範囲の目的は、本発明の真の精神および範囲に入るこのような変形および変更をすべて網羅することである。
【図面の簡単な説明】
【００２８】
【図１】本発明による携帯電話に基づく監視システムの正面図である。
【図２】本発明による携帯電話に基づく監視システムのブロック図である。
【図３】本発明による監視方法のフロー図である。
【図１】
2005328541.tif 000003
【図２】
2005328541.tif 000004
【図３】
2005328541.tif 000005
【外国語明細書】
2005328541.tif 000006
2005328541.tif 000007
2005328541.tif 000008
2005328541.tif 000009
2005328541.tif 000010
2005328541.tif 000011
2005328541.tif 000012
2005328541.tif 000013
2005328541.tif 000014
2005328541.tif 000015
2005328541.tif 000016
2005328541.tif 000017
2005328541.tif 000018
2005328541.tif 000019